(57)【要約】【課題】使い勝手の向上を図ることができるハンディタイプ電気掃除機を提供すること。【解決手段】ハンディタイプ電気掃除機１の掃除機本体２では、重量物である電動送風機６を含む本体部５が重心となる。一対のハンドル２０が、本体部５の円周面５Ａの周方向に１８０°隔たる位置において外方へ張り出すように対称に設けられているから、どちらのハンドル２０を把持しても、電動送風機６の自重によって、把持したハンドル２０の下方に本体部５（掃除機本体２の重心）が位置するので、掃除機本体２を安定した状態で移動させることができる。また、床面Ｖにおいて掃除する領域を、広い領域から狭い領域へ（または、その逆へ）と移す場合、そのために一方のハンドル２０から他方のハンドル２０に持ち替えると、電動送風機６の自重によって、把持したハンドル２０の下方に本体部５が速やかに配置されるので、ハンドル２０を安定した状態で円滑に持ち替えれる。【選択図】図１
2012050565.tif 000002
【特許請求の範囲】
【請求項１】
手で持って操作され得る掃除機本体と、前記掃除機本体から前方へ延びる延長管と、前記延長管の先端に取り付けられた吸込具とを有するハンディタイプ電気掃除機であって、
前記掃除機本体は、
電動送風機と、前記電動送風機の前方に設けられた集塵室と、前記集塵室の前方に設けられた前記延長管を連結するための連結部材とを含む本体部と、
前記本体部の周面の周方向に１８０°隔たる位置において外方へ張り出すように対称に設けられた一対のハンドルと、
を含むことを特徴とする、ハンディタイプ電気掃除機。
【請求項２】
前記掃除機本体と、前記掃除機本体の前記連結部材に連結された前記延長管とは、一直線状に延びていることを特徴とする、請求項１記載のハンディタイプ電気掃除機。
【請求項３】
前記吸込具は、
底面に主吸込口が形成され、前面に副吸込口が形成されたハウジングと、前記ハウジングに連結され、前記ハウジングとの連結部を中心に回動可能であり、前記延長管の先端に取り付けられるベンドと、を含み、
前記主吸込口が床面に対向した基本姿勢と、前記副吸込口が床面に対向した倒立姿勢とに姿勢を切り換えることができることを特徴とする、請求項１または２記載のハンディタイプ電気掃除機。
【請求項４】
前記吸込具は、
前記基本姿勢において前記副吸込口を閉じる一方で、前記倒立姿勢において前記副吸込口を開くシャッターと、
前記シャッターの外表面に回転可能に設けられたローラーと、
を含むことを特徴とする、請求項３記載のハンディタイプ電気掃除機。
【請求項５】
一方の前記ハンドルを把持した状態で、前記吸込具は前記基本姿勢をとり、他方の前記ハンドルを把持した状態で、前記吸込具は前記倒立姿勢をとることを特徴とする、請求項３または４記載のハンディタイプ電気掃除機。
【請求項６】
手で持って操作され得る掃除機本体と、前記掃除機本体から前方へ延びる延長管と、前記延長管の先端に取り付けられた吸込具とを有するハンディタイプ電気掃除機であって、
前記掃除機本体は、
電動送風機と、前記電動送風機の前方に設けられた集塵室と、前記集塵室の前方に設けられた前記延長管を連結するための連結部材とを含む本体部と、
前記本体部の後端面中央から後方へ突出し、前方へ向けて前記本体部の周面と対向するように湾曲したハンドルであって、前記本体部の中心を中心に、少なくとも１８０°回動して、第１位置と、前記第１位置と１８０°隔たる第２位置とに変位し得るハンドルと、
を含むことを特徴とする、ハンディタイプ電気掃除機。
【発明の詳細な説明】
【技術分野】
【０００１】
この発明は、ハンディタイプ電気掃除機に関する。
【背景技術】
【０００２】
電気掃除機には、屋内の床面等を掃除するために一般的に広く用いられるキャニスタータイプと、携帯に便利なハンディタイプとが存在する。
下記特許文献１では、ハンディタイプの電気掃除機が提案されている。この電気掃除機は、把手および集塵部が設けられるとともに電動送風機が内蔵された掃除機本体と、床面の塵埃を吸い込む吸口体（吸込具）と、掃除機本体および吸口体を連結して塵埃を吸口体から掃除機本体へ誘導する連結管とを含んでいる。把手を把持して電気掃除機全体を移動させることで吸口体を塵埃に向けると、電気掃除機では、この塵埃を吸口体で吸い込んで掃除機本体の集塵部に溜めることができる。
【０００３】
下記特許文献２では、キャニスタータイプの電気掃除機が提案されている。この電気掃除機は、電動送風機を内蔵して床面上を移動する掃除機本体と、一端が掃除機本体に接続されるホースと、ホースの他端に一端が接続される延長管と、延長管の他端に接続される吸込具とを含んでいる。吸込具は、上下に扁平なボックス状の本体ケースを有していて、本体ケースには、その底面から前面にわたって吸込口が形成されている。
【０００４】
この電気掃除機において、床面において比較的広い領域を掃除する通常の場合には、本体ケースの底面における吸込口を床面に対向させて吸込具を移動させる。これにより、床面の塵埃は、本体ケースの底面における吸込口から本体ケース内に吸い込まれ、延長管およびホースを通過した後に、掃除機本体に溜められる。
一方、この吸込具は、本体ケースが直立して本体ケースの前面における吸込口が床面に対向するように、姿勢を変えることができる。直立した本体ケースは、横方向に薄くなる。そのため、直立した本体ケースを室内における壁面と家具との隙間に挿入することができ、この隙間における床面上の塵埃が、本体ケースの前面における吸込口から本体ケース内に吸い込まれ、掃除機本体に溜められる。
【０００５】
つまり、特許文献２のキャニスタータイプの電気掃除機では、吸込具の姿勢を変えることで、床面において、比較的広い領域だけでなく、壁面と家具とに挟まれた狭い領域も掃除することができる。
【先行技術文献】
【特許文献】
【０００６】
【特許文献１】特開２００２−３５５１９６号公報
【特許文献２】特開２００６−３４０７３９号公報
【発明の概要】
【発明が解決しようとする課題】
【０００７】
特許文献１のハンディタイプ電気掃除機でも、特許文献２のキャニスタータイプ電気掃除機のように、床面において、広い領域だけでなく、狭い領域も共通の吸込具で掃除できると便利である。また、ハンディタイプ電気掃除機では、掃除機本体を手で持って宙に浮かせた状態で使用する構成上、使い勝手の良さが特に注目される。
この発明は、かかる背景のもとでなされたもので、使い勝手の向上を図ることができるハンディタイプ電気掃除機を提供することを目的とする。
【課題を解決するための手段】
【０００８】
請求項１記載の発明は、手で持って操作され得る掃除機本体と、前記掃除機本体から前方へ延びる延長管と、前記延長管の先端に取り付けられた吸込具とを有するハンディタイプ電気掃除機であって、前記掃除機本体は、電動送風機と、前記電動送風機の前方に設けられた集塵室と、前記集塵室の前方に設けられた前記延長管を連結するための連結部材とを含む本体部と、前記本体部の周面の周方向に１８０°隔たる位置において外方へ張り出すように対称に設けられた一対のハンドルと、を含むことを特徴とする、ハンディタイプ電気掃除機である。
【０００９】
請求項２記載の発明は、前記掃除機本体と、前記掃除機本体の前記連結部材に連結された前記延長管とは、一直線状に延びていることを特徴とする、請求項１記載のハンディタイプ電気掃除機である。
請求項３記載の発明は、前記吸込具は、底面に主吸込口が形成され、前面に副吸込口が形成されたハウジングと、前記ハウジングに連結され、前記ハウジングとの連結部を中心に回動可能であり、前記延長管の先端に取り付けられるベンドと、を含み、前記主吸込口が床面に対向した基本姿勢と、前記副吸込口が床面に対向した倒立姿勢とに姿勢を切り換えることができることを特徴とする、請求項１または２記載のハンディタイプ電気掃除機である。
【００１０】
請求項４記載の発明は、前記吸込具は、前記基本姿勢において前記副吸込口を閉じる一方で、前記倒立姿勢において前記副吸込口を開くシャッターと、前記シャッターの外表面に回転可能に設けられたローラーと、を含むことを特徴とする、請求項３記載のハンディタイプ電気掃除機である。
請求項５記載の発明は、一方の前記ハンドルを把持した状態で、前記吸込具は前記基本姿勢をとり、他方の前記ハンドルを把持した状態で、前記吸込具は前記倒立姿勢をとることを特徴とする、請求項３または４記載のハンディタイプ電気掃除機である。
【００１１】
請求項６記載の発明は、手で持って操作され得る掃除機本体と、前記掃除機本体から前方へ延びる延長管と、前記延長管の先端に取り付けられた吸込具とを有するハンディタイプ電気掃除機であって、前記掃除機本体は、電動送風機と、前記電動送風機の前方に設けられた集塵室と、前記集塵室の前方に設けられた前記延長管を連結するための連結部材とを含む本体部と、前記本体部の後端面中央から後方へ突出し、前方へ向けて前記本体部の周面と対向するように湾曲したハンドルであって、前記本体部の中心を中心に、少なくとも１８０°回動して、第１位置と、前記第１位置と１８０°隔たる第２位置とに変位し得るハンドルと、を含むことを特徴とする、ハンディタイプ電気掃除機である。
【発明の効果】
【００１２】
請求項１記載の発明によれば、手で持って操作され得る掃除機本体と、掃除機本体から前方へ延びる延長管と、延長管の先端に取り付けられた吸込具とを有するハンディタイプ電気掃除機において、掃除機本体では、重量物である電動送風機を含む本体部が重心となる。本体部は、電動送風機の前方に設けられた集塵室と、集塵室の前方に設けられた延長管を連結するための連結部材とを含んでいる。
【００１３】
そして、一対のハンドルが、本体部の周面の周方向に１８０°隔たる位置において外方へ張り出すように対称に設けられている。つまり、一対のハンドルは、重心となる本体部を挟んで対称に配置されている。この場合、どちらのハンドルを把持しても、電動送風機の自重によって、把持したハンドルの下方に本体部がくる。これにより、ハンドルを把持した手の下方に掃除機本体の重心が位置するので、掃除機本体を安定した状態で移動させることができる。
【００１４】
また、たとえば、床面において掃除する領域を、広い領域から狭い領域へと移す場合（または、その逆の場合）、そのために一方のハンドルから他方のハンドルに持ち替えると、電動送風機の自重によって、把持したハンドルの下方に本体部が速やかに配置される。これにより、ハンドルを安定した状態で円滑に持ち替えることができる。
以上の結果、使い勝手の向上を図ることができる。
【００１５】
請求項２記載の発明によれば、掃除機本体と、掃除機本体の連結部材に連結された延長管とは、一直線状に延びている。そのため、一方のハンドルから他方のハンドルに持ち替えると、連結部材（掃除機本体）および延長管を軸として、本体部が電動送風機の自重によって下向きに回動し、他方のハンドルの下方へ速やかに移動する。これにより、ハンドルを安定した状態で円滑に持ち替えることができて使い勝手が良い。
【００１６】
請求項３記載の発明によれば、吸込具では、ハウジングの底面に主吸込口が形成され、前面に副吸込口が形成されていて、ハウジングには、ベンドが連結されている。ベンドは、ハウジングとの連結部を中心に回動可能であり、延長管の先端に取り付けられる。そのため、電動送風機が吸引力を発生すると、塵埃が、主吸込口または副吸込口からハウジング内に吸い込まれ、ベンド、延長管および連結部材を通過した後に集塵室に溜められる。
【００１７】
そして、吸込具は、主吸込口が床面に対向した基本姿勢と、副吸込口が床面に対向した倒立姿勢とに姿勢を切り換えることができる。そのため、基本姿勢において、床面の広い領域の塵埃を主吸込口からハウジング内に効率的に吸い込むことができる。一方、倒立姿勢において、吸込具を横方向に薄くすることができるので、倒立姿勢の吸込具を、室内の壁面と家具との隙間や家具と家具との隙間に差し込んで、これらの隙間における床面の狭い領域の塵埃を副吸込口からハウジング内に吸い込むことができる。つまり、吸込具の姿勢を基本姿勢と倒立姿勢とに切り換えることによって、ハンディタイプ電気掃除機では、床面における広い領域および狭い領域の両方を掃除することができて使い勝手が良い。
【００１８】
請求項４記載の発明によれば、吸込具は、シャッターと、シャッターの外表面に回転可能に設けられたローラーとを含んでいる。
シャッターは、基本姿勢において副吸込口を閉じているので、床面の塵埃を、床面に対向している主吸込口からハウジング内に効率的に吸い込むことができる。また、たとえば、吸込具を室内の壁面に沿わせて移動させたい場合には、ローラーが壁面に触れて転がるので、吸込具を円滑に移動させることができて使い勝手が良い。
【００１９】
一方、シャッターは、倒立姿勢において副吸込口を開くので、床面の狭い領域における塵埃を、この領域に対向している副吸込口からハウジング内に効率的に吸い込むことができる。この際、ローラーが床面に触れて転がるので、倒立姿勢の吸込具を床面上で円滑に移動させることができて使い勝手が良い。
請求項５記載の発明によれば、一対のハンドルのうち、一方のハンドルを把持した状態で、吸込具は基本姿勢をとり、他方のハンドルを把持した状態で、吸込具は倒立姿勢をとる。
【００２０】
ここで、一対のハンドルは、重心となる本体部を挟んで対称に配置されているので、これらのハンドルを安定した状態で円滑に持ち替えることができる。そのため、一方のハンドルを把持すれば、吸込具は円滑に基本姿勢になり、他方のハンドルを把持すれば、吸込具は円滑に倒立姿勢になるので、使い勝手が良い。
請求項６記載の発明によれば、手で持って操作され得る掃除機本体と、掃除機本体から前方へ延びる延長管と、延長管の先端に取り付けられた吸込具とを有するハンディタイプ電気掃除機において、掃除機本体では、重量物である電動送風機を含む本体部が重心となる。本体部は、電動送風機の前方に設けられた集塵室と、集塵室の前方に設けられた延長管を連結するための連結部材とを含んでいる。
【００２１】
そして、本体部の後端面中央から後方へ突出し、前方へ向けて本体部の周面と対向するように湾曲したハンドルが設けられている。このハンドルは、本体部の中心を中心に、少なくとも１８０°回動して、第１位置と、第１位置と１８０°隔たる第２位置とに変位し得る。たとえば、床面において掃除する領域を、広い領域から狭い領域へと移す場合（または、その逆の場合）、ハンドルを第１位置および第２位置のいずれかにすることで、掃除しやすいように電気掃除機の姿勢を変えることができる。
【００２２】
この場合、第１位置および第２位置のいずれに位置するハンドルを把持しても、電動送風機の自重によって、把持したハンドルの下方に本体部がくる。これにより、ハンドルを把持した手の下方に掃除機本体の重心が位置するので、掃除機本体を安定した状態で移動させることができる。
以上の結果、使い勝手の向上を図ることができる。
【図面の簡単な説明】
【００２３】
【図１】図１は、この発明の一実施形態に係るハンディタイプ電気掃除機１の右側面図である。
【図２】図２は、吸込具４のシャッター５４を開いた状態におけるハンディタイプ電気掃除機１の右側面図である。
【図３】図３は、吸込具４を倒立姿勢にした状態におけるハンディタイプ電気掃除機１の右側面図である。
【図４】図４は、第１の変形例に係る掃除機本体２の側面図である。
【図５】図５は、図４の掃除機本体２のメンテナンス状態における側面図である。
【図６】図６は、第２の変形例に係る掃除機本体２を適用したハンディタイプ電気掃除機１の右側面図である。
【図７】図７は、図６においてハンドル６７が第２位置にある状態を示している。
【図８】図８は、図７において吸込具４を水平面内で略９０°回動させた状態を示している。
【図９】図９（ａ）は、ハンドル６７がロックされた状態におけるハンドル６７およびロック機構７１の正断面図であり、図９（ｂ）は、図９（ａ）のＡ−Ａ矢視断面図である。図９（ｃ）は、ハンドル６７のロックが解除された状態におけるハンドル６７およびロック機構７１の正断面図であり、図９（ｄ）は、図９（ｃ）のＢ−Ｂ矢視断面図である。
【図１０】図１０（ａ）は、掃除機本体２の後端面５Ｃに取り付けられる排気調整機構８０の斜視図であり、図１０（ｂ）は、排気調整機構８０の断面図である。
【図１１】図１１（ａ）は、排気調整機構８０のスライド部材８１の斜視図であり、図１１（ｂ）は、スライド部材８１の断面図である。
【図１２】図１２（ａ）は、排気調整機構８０の保持部材８２の斜視図であり、図１２（ｂ）は、保持部材８２の断面図である。
【図１３】図１３は、ハンドル２０Ａを把持した場合における排気調整機構８０の断面図である。
【図１４】図１４は、ハンドル２０Ｂを把持した場合における排気調整機構８０の断面図である。
【図１５】図１５は、第４の変形例に係る掃除機本体２の右側断面図である。
【発明を実施するための形態】
【００２４】
以下には、図面を参照して、この発明の実施形態について具体的に説明する。
図１は、この発明の一実施形態に係るハンディタイプ電気掃除機１の右側面図である。図２は、吸込具４のシャッター５４を開いた状態におけるハンディタイプ電気掃除機１の右側面図である。
以下では、図１におけるハンディタイプ電気掃除機（以下では、単に「掃除機」という）１の姿勢を基準として、掃除機１の前後左右方向を規定する。図１において、左側が前側であり、右側が後側であり、奥側が左側であり、手前側が右側である。また、左右方向は、幅方向と同義である。
【００２５】
掃除機１は、掃除機本体２と、掃除機本体２から前方へ延びる延長管３と、延長管３の先端に取り付けられた吸込具４とを有している。この掃除機１で掃除をする際、掃除機本体２を手で持って宙に浮かせて操作し、この状態で掃除機１全体を移動させる。
＜掃除機本体＞
図１を参照して、掃除機本体２は、中空の略円筒状をなす本体部５を備えている。本体部５は、その内部に収納される電動送風機６と、電動送風機６の前方に設けられた空間をなす集塵室７とを備えている。掃除機本体２では、重量物である電動送風機６を含む本体部５が重心となる。
【００２６】
本体部５は、図１において前下側へ延びる中心軸Ｊを有する円周面５Ａと、円周面５Ａを前側から塞ぐ前端面５Ｂと、円周面５Ａを後側から塞ぐ後端面５Ｃとを一体的に備えている。
前端面５Ｂは、略円形状であり、前下側へ円弧状に膨出している。円周面５Ａの中心軸Ｊは、前端面５Ｂの円中心位置を通っている。前端面５Ｂの円中心位置には、前下側へ突出して延びる連結部材８が一体的に設けられている。連結部材８は、本体部５の一部である。
【００２７】
連結部材８は、円周面５Ａの中心軸Ｊ上を延びる略円管状であり、集塵室７の前方に位置している。連結部材８の内部は、集塵室７の内部に対して前下側から連通している。連結部材８に対して延長管３が連結される。連結部材８の外周面の周上１箇所（図１では上側外周面）には、解除ボタン９が設けられている。連結部材８に連結された延長管３は連結部材８に対してロックされていて、解除ボタン９を押すことで、連結部材８に対する延長管３のロックが解除され、延長管３を連結部材８から取り外すことができる。
【００２８】
本体部５の後端面５Ｃは、略円形であり、本体部５の円周面５Ａの中心軸Ｊと直交する方向に沿って平坦である。後端面５Ｃは、掃除機本体２の後端面をなしている。つまり、掃除機本体２は、本体部５の後端面５Ｃにより形成される略円形の後端面を有している。
また、本体部５の内部において、集塵室７より後側で電動送風機６が収容される空間は、収容室１３とされる。後端面５Ｃには排気口１４が形成されていて、排気口１４は、収容室１３に対して後側から連通している。
【００２９】
電動送風機６は、収容室１３内において、円周面５Ａの中心軸Ｊ上に配置されている。電動送風機６は、電力が供給されることによって運転されて、吸引力を発生する。これにより、掃除機本体２では、連結部材８、集塵室７および電動送風機６をこの順番で通過して排気口１４から機外に排出される空気の流れが発生する。
そして、掃除機本体２には、掃除機本体２を宙に浮かせて移動させるために把持される一対のハンドル２０が備えられている。これらのハンドル２０は、本体部５の円周面５Ａの周方向に１８０°隔たる位置において外方へ張り出すように、本体部５の中心軸Ｊを基準に対称に設けられている。換言すれば、一対のハンドル２０は、重心となる本体部５を挟んで対称に配置されている。
【００３０】
図１の状態において、一方のハンドル２０Ａは、本体部５の円周面５Ａの略後半分の上側部分に設けられていて、他方のハンドル２０Ｂは、本体部５の円周面５Ａの略後半分の下側部分に設けられている。各ハンドル２０は、円周面５Ａの前後方向略中央位置から円周面５Ａの径方向外側かつ後側へ傾斜して延びてから、円周面５Ａの中心軸Ｊに沿って後方へ延び、その後、中心軸Ｊ側へ略１８０°湾曲して本体部５の後端面５Ｃの周縁部に後側から接続されている。そのため、各ハンドル２０と円周面５Ａとの間には、中心軸Ｊに沿って長手の長穴２１が形成されている。各ハンドル２０を把持した手の指が長穴２１に通される。
＜延長管＞
延長管３は、直線状に延びる略円管状であって、掃除機本体２側の第１管４０と、吸込具４側の第２管４１と分割可能である。第１管４０および第２管４１のそれぞれの長さは、大体同じである。第２管４１の後端部が第１管４０の前端部の内側に収容されていて、この状態で、第１管４０と第２管４１とは同軸状をなしている。第２管４１を第１管４０内に収容していくことで、延長管３を伸縮させて延長管３の長さを変えることができる。
【００３１】
第１管４０の前端部の上側面には、調整ボタン４３が設けられている。調整ボタン４３は、延長管３を伸縮させる際に操作される。
第２管４１の上側面には、長さ方向におけるほぼ全域において、複数の凹部４４が間隔を隔てて並んで形成されている。いずれかの凹部４４に対して、第１管４０に設けられた図示しない爪が引っ掛かっていて、この状態で、延長管３の伸縮が規制されている。調整ボタン４３を押すと、この爪（図示せず）を、いままで引っ掛かっていた凹部４４から外すことができ、これにより、延長管３の伸縮が可能となる。そして、任意の長さになるように延長管３を伸縮させてから調整ボタン４３を離すと、前述した爪（図示せず）が最寄りの凹部４４に引っ掛かるので、延長管３を任意の長さで維持することができる。
【００３２】
第２管４１の前端部の上側面には、取り外しボタン４５が設けられている。取り外しボタン４５は、延長管３から吸込具４を取り外す際に操作される。
このような延長管３は、第１管４０の後端部が掃除機本体２の連結部材８に対して内嵌されることで、掃除機本体２に対して連結される。延長管３が掃除機本体２に連結された状態で、第１管４０の後端部には、連結部材８に設けられたフック（図示せず）が係合しており、これによって、延長管３が掃除機本体２に対して外れ不能に固定（ロック）されている。なお、解除ボタン９を押すと、前述したフックが第１管４０から外れるので、掃除機本体２に対する延長管３のロックが解除され、延長管３を掃除機本体２から取り外すことができる。
【００３３】
そして、図１に示すように、延長管３が連結部材８に連結された状態では、本体部５（掃除機本体２）と、本体部５に内蔵された電動送風機６と、連結部材８と、連結部材８に連結された延長管３とは、本体部５の中心軸Ｊに沿って一直線状に延びている。延長管３は、本体部５の集塵室７の前方に位置している。
＜吸込具＞
吸込具４は、ハウジング５０と、ベンド５１とを含んでいる。
【００３４】
ハウジング５０は、幅方向に長手（幅広）かつ上下方向に扁平で中空のボックス形状である。ハウジング５０の底面５０Ａの前側には、幅方向に長手の主吸込口５２が形成されており、ハウジング５０の前面５０Ｂには、幅方向に長手の副吸込口５３が形成されている。副吸込口５３は、主吸込口５２に対して前側から連続している。主吸込口５２および副吸込口５３は、ハウジング５０内に連通している。
【００３５】
ハウジング５０の前面５０Ｂには、シャッター５４が設けられている。シャッター５４は、幅方向に長手の板状である。シャッター５４は、幅方向から見て、前上側へ円弧状に膨出するように、湾曲している。シャッター５４の前側面（外表面）の幅方向両端部には、ローラー５５が設けられている。ローラー５５は、前上側へ延びる円柱形状であって、先端部（前上側端部）が丸められている。ローラー５５は、前上側へ延びる軸（図示せず）を中心に回転可能である。
【００３６】
シャッター５４は、前上側から、副吸込口５３を開閉可能に覆っている。図１では、シャッター５４が副吸込口５３を閉じている。開いたシャッター５４では、後側部分が、ハウジング５０の天壁５０Ｃの前端部の下側に隠れるようにハウジング５０内に収容される（図示せず）。
ここで、シャッター５４は、閉じるように付勢部材（ばねなど）で付勢されている。そのため、図２に示すように、壁Ｗに対してローラー５５を押し付けることで、付勢部材の付勢力に抗してシャッター５４を開くことができる。逆に、ローラー５５を壁Ｗから離すと、付勢部材の付勢力によって、図１に示すように、シャッター５４は速やかに閉じる。
【００３７】
図１に示すように、ハウジング５０の後面の幅方向中央には、接続筒５６が取り付けられている。接続筒５６は、前後方向に延びる中心軸を有する略円筒状であり、ハウジング５０の後面に対して後から挿通され、ハウジング５０によって、上述した中心軸を中心として回動自在に支持されており、ハウジング５０の一部となっている。接続筒５６の内部は、ハウジング５０内に連通している。接続筒５６の後端面と外周部分の周上１箇所とは、連続して切欠かれており、切欠き部５６Ａとされる。
【００３８】
ベンド５１は、図１では前後方向に長手の管状であり、その前端は、略球体状に形成されている。ベンド５１の前端は、ハウジング５０の接続筒５６の切欠き部５６Ａに対して後から挿通されており、これによって、ベンド５１は、接続筒５６（ハウジング５０）によって支持されている。
詳しくは、ベンド５１では、前端がハウジング５０に連結され、後端は、ハウジング５０から後方へ突出している。この状態で、ベンド５１は、前端を支点として、接続筒５６に対して回動自在である。図１では、ベンド５１は、上下に回動自在である。そして、接続筒５６が、前後方向に延びる中心軸を中心として回動自在であることから、ベンド５１は、接続筒５６に対して回動しつつ、接続筒５６とともに、前後方向に延びる中心軸を中心として回動することができる。つまり、ベンド５１は、ハウジング５０との連結部である接続筒５６を中心に回動可能である。
【００３９】
ベンド５１の内部は、接続筒５６の内部を介して、ハウジング５０内に連通している。ベンド５１は、その後端において、延長管３の先端（第２管４１の前端）に取り付けられる。
また、ハウジング５０内には、回転ブラシ５７が設けられている。回転ブラシ５７は、幅方向に長手でハウジング５０の左右の側壁によって回転可能に支持されている。回転ブラシ５７のブラシ毛は、主吸込口５２および副吸込口５３の両方に臨んでいる。ハウジング５０内には、モータやタービンが設けられている（図示せず）。モータが掃除機本体２から電力を受けることで駆動されたり、後述するようにハウジング５０内に吸い込まれた空気でタービンが回転駆動されたりすることで、回転ブラシ５７は、モータやタービンから駆動力を受けて回転する。
【００４０】
図３は、吸込具４を倒立姿勢にした状態における掃除機１の右側面図である。
このような吸込具４は、図１および図２に示す基本姿勢と、図３に示す倒立姿勢とに姿勢を切り換えることができる。吸込具４が基本姿勢にあるとき、主吸込口５２が床面Ｖに対して上から対向し（図１および図２参照）、吸込具４が倒立姿勢にあるとき、副吸込口５３が床面Ｖに対して上から対向する。
【００４１】
また、壁Ｗに対してローラー５５を押し付けていない状態において吸込具４が基本姿勢にあれば、シャッター５４は、副吸込口５３を閉じている（図１参照）。一方で、吸込具４が倒立姿勢にあるときには、ローラー５５が床面Ｖに当接されることで、シャッター５４は、開く方向へ移動して、副吸込口５３を開く（図３参照）。
そして、図１の状態で掃除機本体２の上端に位置している一方のハンドル２０Ａを把持すると、ハンドル２０Ａが掃除機本体２の上端に位置している一方で、ハンドル２０Ａの真下に本体部５が位置し、他方のハンドル２０Ｂが、本体部５を挟んでハンドル２０Ａの反対側（掃除機本体２の下側面側）に位置する。この状態では、吸込具４は基本姿勢をとり、延長管３は、吸込具４のハウジング５０の長手方向（幅方向）に直交しつつ、後上側へ傾斜して延びている。
【００４２】
この状態で、ハンドル２０Ａを把持したまま前方に移動させ、図２に示すように、吸込具４をシャッター５４側から室内の壁Ｗに押し付けると、シャッター５４のローラー５５が壁Ｗに当接され、これによって、シャッター５４が開く。
また、図１の状態で、ハンドル２０Ａからハンドル２０Ｂに持ち替えてハンドル２０Ｂを少し浮かせる。すると、掃除機本体２において図１でハンドル２０Ｂより上側の本体部５およびハンドル２０Ａが、一直線状に延びている延長管３、連結部材８および本体部５を軸として、換言すれば、本体部５の中心軸Ｊを軸として、電動送風機６の自重によって下向きに回動する。厳密には、掃除機１において吸込具４以外の部分が、中心軸Ｊを中心として、１８０°下向きに捻られる。これにより、本体部５およびハンドル２０Ａが、図３に示すように、ハンドル２０Ｂの下方へ速やかに移動する。そのため、ハンドル２０Ａからハンドル２０Ｂに安定した状態で円滑に持ち替えることができて使い勝手が良い。また、本体部５およびハンドル２０Ａが移動するのと同時に、ハンドル２０Ｂを少し浮かせたのに応じて延長管３が捻れながら少し上昇し、その際、吸込具４の後端部側を持ち上げるので、吸込具４の姿勢が倒立姿勢に変わり、シャッター５４が開く。このとき、図３に示すように、倒立姿勢の吸込具４と、延長管３および掃除機本体２とが同一の垂直平面上に配置される。
【００４３】
そして、この状態でハンドル２０Ｂからハンドル２０Ａに持ち替えると、本体部５およびハンドル２０Ｂが、延長管３および連結部材８を伴って下向きに回動し、図１に示すように、ハンドル２０Ａの下方に配置される。これと同時に、吸込具４の姿勢が、倒立姿勢から基本姿勢に戻る。
このように、ハンドル２０Ａを把持した状態で、吸込具４は基本姿勢をとり、ハンドル２０Ｂを把持した状態で、吸込具４は倒立姿勢をとる（図３参照）。そして、ハンドル２０Ａからハンドル２０Ｂに持ち替えると、本体部５およびハンドル２０Ａがハンドル２０Ｂの下方に位置し（図３参照）、ハンドル２０Ｂからハンドル２０Ａに持ち替えると、本体部５およびハンドル２０Ｂがハンドル２０Ａの下方に位置する。
＜掃除機による掃除＞
図１に示すように吸込具４が基本姿勢にあってシャッター５４が閉じている状態で、掃除機本体２に接続された電気コードの電気プラグ（図示せず）をコンセント（図示せず）につなげる。そして、掃除機本体２に設けられたスイッチ（図示せず）をＯＮにすると、電動送風機６に電力が供給され、電動送風機６が吸引力を発生する。この吸引力は、集塵室７、連結部材８、延長管３、ベンド５１およびハウジング５０のそれぞれの内部に作用する。
【００４４】
これにより、ハウジング５０の底面５０Ａの主吸込口５２にも吸引力が作用するので、ハウジング５０の外部の空気が主吸込口５２からハウジング５０内に吸い込まれる。
そのため、主吸込口５２が床面Ｖに対向した状態で、上側のハンドル２０Ａを把持して吸込具４を床面Ｖ上で移動させれば、床面Ｖ上の塵埃が、主吸込口５２からハウジング５０内に吸引される空気に乗って、主吸込口５２からハウジング５０内に吸い込まれる。その後、ハウジング５０内に流入したこれらの塵埃および空気は、ベンド５１および延長管３を通って、掃除機本体２の連結部材８に流入する。
【００４５】
連結部材８に流入した塵埃および空気は、連結部材８を通過した後に、集塵室７内に流入する。集塵室７内には、使い捨ての紙パック６０（後述する図４も参照）が収容されており、集塵室７内に流入した塵埃および空気は、紙パック６０内に進入する。そして、塵埃は、紙パック６０を通過できずに紙パック６０に溜まる一方で、空気は、紙パック６０を通過した後に、排気口１４から掃除機本体２の外部（機外）へ排出される。
【００４６】
掃除機本体２では、本体部５の円周面５Ａにおいて集塵室７に一致する部分に、集塵室７内に連通する取出口６１が形成されていて、取出口６１は、本体部５に設けられた蓋６２によって開閉される。蓋６２を開くことによって、集塵室７の紙パック６０を取り出すことができるので、紙パック６０（換言すれば集塵室７）に溜まった塵埃を捨てることができる。
【００４７】
図１に示すように、吸込具４が基本姿勢にある状態では、シャッター５４が副吸込口５３を閉じているので、吸引力を主吸込口５２だけに作用させることができる。そのため、床面Ｖの塵埃を、床面Ｖに対向している主吸込口５２からハウジング５０内に効率的に吸い込むことができる。また、回転する回転ブラシ５７が主吸込口５２から床面Ｖの塵埃を掻き上げる。よって、塵埃を主吸込口５２からハウジング５０内へ効果的に流入させて集塵室７の紙パック６０に溜めることができる。
【００４８】
一方、図２に示すように吸込具４を壁Ｗに押し付けるとシャッター５４が副吸込口５３を開く。この場合には、吸引力が副吸込口５３にも作用するので、副吸込口５３からハウジング５０内に塵埃を吸い込むことができる。この場合、副吸込口５３が壁Ｗに対向しているので、壁Ｗに付着した塵埃を副吸込口５３からハウジング５０内に吸い込むことができる。また、回転する回転ブラシ５７（図示せず）において副吸込口５３に臨むブラシ毛が壁Ｗの塵埃を副吸込口５３へ掻き込むので、壁Ｗに付着した塵埃は、ハウジング５０内に効率的に吸い込まれる。
【００４９】
ハウジング５０内に吸い込まれた塵埃は、前述したように、集塵室７の紙パック６０に溜められる。また、床面Ｖにおいて壁Ｗの際（壁際）の塵埃は、主吸込口５２からハウジング５０内に吸い込まれて紙パック６０に溜められる。
このように吸込具４を壁Ｗに押し付けてシャッター５４が開いた状態で、ハンドル２０Ａを把持し、壁Ｗに沿って吸込具４を横移動させる。すると、シャッター５４のローラー５５が壁Ｗの壁面に触れて転がる。これにより、ローラー５５においてガイドされることで、吸込具４を壁Ｗに沿って円滑に横移動させることができて使い勝手が良い。吸込具４が横移動する際、壁Ｗの塵埃および壁際の塵埃がハウジング５０内に吸い込まれて集塵室７に溜められる。なお、シャッター５４が閉じた状態にある基本姿勢の吸込具４を壁Ｗに沿わせることもでき、このときも、ローラー５５が壁Ｗの壁面に触れて転がるので、吸込具４を壁Ｗに沿って円滑に横移動させることができる。
【００５０】
また、吸込具４が基本姿勢にある状態で（図１および図２参照）、前述したようにハンドル２０Ａからハンドル２０Ｂに持ち替えると、図３に示すように吸込具４が倒立姿勢になる。吸込具４が倒立姿勢になる際、ローラー５５が床面Ｖに接触して床面Ｖによって下から押されることによって、シャッター５４が開く。
吸込具４が倒立姿勢にあると、基本姿勢（図１および図２参照）のときに幅広で上下に扁平だったハウジング５０において、副吸込口５３側が底面となってベンド５１側が天面となることで、ハウジング５０が、横方向（水平方向）に薄くなる（後述する図８も参照）。つまり、床面Ｖに対するハウジング５０の対向面積が小さくなる。そのため、壁Ｗの壁面と家具との隙間や家具と家具との隙間といった床面Ｖにおける狭い領域にハウジング５０を入り込ませることができる。
【００５１】
そして、このとき、シャッター５４が副吸込口５３を開いているので、床面Ｖの狭い領域における塵埃を、この領域に対向している副吸込口５３からハウジング５０内に効率的に吸い込むことができる。この際、ローラー５５が床面Ｖに触れて転がるので、倒立姿勢の吸込具４を床面Ｖ上で円滑に移動させることができて使い勝手が良い。
そして、副吸込口５３からハウジング５０内に吸い込まれた狭い領域における塵埃は、前述したように、集塵室７の紙パック６０に溜められる。
【００５２】
このように、基本姿勢において、床面Ｖの広い領域の塵埃を主吸込口５２からハウジング５０内に効率的に吸い込むことができる（図１および図２参照）。一方、倒立姿勢において、吸込具４を横方向に薄くすることができるので、倒立姿勢の吸込具４を、室内の壁面と家具との隙間や家具と家具との隙間に差し込んで、これらの隙間における床面Ｖの狭い領域の塵埃を副吸込口５３からハウジング５０内に吸い込むことができる（図３参照）。つまり、吸込具４の姿勢を基本姿勢と倒立姿勢とに切り換えることによって、掃除機１では、床面Ｖにおける広い領域および狭い領域の両方を掃除することができて使い勝手が良い。
【００５３】
また、ハンドル２０Ａおよびハンドル２０Ｂは、重心となる本体部５を挟んで対称に配置されているので、どちらのハンドル２０を把持しても、電動送風機６の自重によって、把持したハンドル２０の下方に本体部５がくる（図１〜図３参照）。これにより、ハンドル２０を把持した手の下方に掃除機本体２の重心が位置するので、掃除機本体２を安定した状態で移動させることができる。また、ハンドル２０Ａおよびハンドル２０Ｂは、対称に配置され、かつ、同じ形状なので、どちらのハンドル２０も同じように把持できて使い勝手がよい。
【００５４】
また、床面Ｖにおいて掃除する領域を、広い領域から狭い領域へと移す場合（または、その逆の場合）、そのためにハンドル２０Ａおよびハンドル２０Ｂのいずれか一方から他方に持ち替えると、電動送風機６の自重によって、把持したハンドルの下方に本体部５が速やかに配置される。特に、掃除機本体２と延長管３とが一直線状に延びていることから、一方のハンドル２０から他方のハンドル２０に持ち替えると、連結部材８（掃除機本体２）および延長管３を軸として、本体部５が電動送風機６の自重によって下向きに回動し、他方のハンドル２０の下方へ速やかに移動する。これにより、ハンドル２０を安定した状態で円滑に持ち替えることができて使い勝手が良い。
【００５５】
このようにハンドル２０を安定した状態で円滑に持ち替えることができるので、ハンドル２０Ａを把持すれば、吸込具４は円滑に基本姿勢になり（図１および図２参照）、ハンドル２０Ｂを把持すれば、吸込具４は円滑に倒立姿勢になる（図３参照）。
以上により、同一の吸込具４によって、床面Ｖにおいて広い領域と狭い領域とを中断することなく連続して掃除でき、使い勝手の向上を図ることができる。
【００５６】
以下では、変形例について説明する。
＜第１の変形例＞
図４は、第１の変形例に係る掃除機本体２の側面図である。図５は、図４の掃除機本体２のメンテナンス状態における側面図である。なお、前述した実施例に説明した部材と同様の部材には、同一の参照符号を付し、その説明を省略する（以降の変形例においても同様）。
【００５７】
図４および図５に示す第１の変形例に係る掃除機本体２の場合、掃除機１をコンパクトに収納することができる。この変形例に係る掃除機本体２では、ハンドル２０Ａの後側面（図４では下側面）２３およびハンドル２０Ｂの後側面（図４では下側面）２４のそれぞれが、平坦面であり、本体部５の後端面５Ｃと面一をなしている。後側面２３および後側面２４は、いずれも、後端面５Ｃとともに掃除機本体２の後側面をなしていて、本体部５の径方向において本体部５の後端面５Ｃから径方向外側へ張り出している。つまり、掃除機本体２は、ハンドル２０Ａの後端により本体部５の後端面５Ｃから外方へ張り出した一方張出面をなす後側面２３と、ハンドル２０Ｂの後端により本体部５の後端面５Ｃから外方へ張り出した他方張出面をなす後側面２４とを有している。
【００５８】
ここで、ハンドル２０Ａおよびハンドル２０Ｂが本体部５の中心軸Ｊを基準に対称に設けられていることから、ハンドル２０Ｂの後側面２４は、ハンドル２０Ａの後側面２３と１８０°隔たる方向へ張り出している。
そして、ハンドル２０Ａの後側面２３とハンドル２０Ｂの後側面２４と本体部５の後端面５Ｃとが面一であることから、後側面２３と後側面２４と後端面５Ｃとは、面一となっていて、まとまった状態で、フラット面３５を形成している。
【００５９】
また、掃除機１の収納に関連して、図１に示すように、延長管３の前端部（吸込具４側の端部）の外周面には、吸込具４側へ折れ曲った係止フック５９が設けられている。なお、係止フック５９は、吸込具４に設けられてもよい。また、図示しないが、掃除機本体２には、係止フック５９を引っ掛けるための凹状のフック受けが設けられている。
前述したように、連結部材８の解除ボタン９を押すと、掃除機本体２に対する延長管３のロックが解除されるので、一体となった状態にある吸込具４および延長管３（図１参照）を、掃除機本体２から取り外すことができる。
【００６０】
吸込具４および延長管３を掃除機本体２から取り外した後に、今まで掃除機本体２の後端に位置していたフラット面３５を床（床面Ｖ）に上から対向させて、図４に示すように、掃除機本体２を縦長になるように立設させる。このとき、フラット面３５が床面Ｖに面接触するので、立設した掃除機本体２は、安定した姿勢を保つことができる。詳しくは、フラット面３５は、ハンドル２０Ａ、本体部５およびハンドル２０Ｂの並び方向に沿って長手かつ平坦なので、フラット面３５が床（床面Ｖ）に対向するように掃除機本体２を床に載置しても、掃除機本体２は、当該並び方向へ倒れることなく、安定した姿勢を保つことができる。
【００６１】
そして、吸込具４が下端に位置して延長管３が吸込具４から上方ヘ略垂直に延びるようにしてから、延長管３の係止フック５９（図１参照）を、前述したフック受け（図示せず）に引っ掛ける。すると、延長管３が略垂直に延びた状態で、吸込具４および延長管３が掃除機本体２に固定され、掃除機１が収納状態になる。つまり、立設して縦長となった掃除機本体２に延長管３および吸込具４を固定することで、掃除機１をコンパクトに収納することができて使い勝手が良い。
【００６２】
なお、この変形例に係る掃除機本体２では、図５に示すように、本体部５の前端面５Ｂと、円周面５Ａにおいて前端面５Ｂの近傍部分と、連結部材８とが、蓋６５として一体化していて、紙パック６０を伴って掃除機本体２から分離可能である。そのため、蓋６５を掃除機本体２から分離させることで、紙パック６０を掃除機本体２から取り外すことができ、これにより、紙パック６０に溜まった塵埃を捨てることができる。
＜第２の変形例＞
図６は、第２の変形例に係る掃除機本体２を適用した掃除機１の右側面図である。図７は、図６においてハンドル６７が第２位置にある状態を示している。図８は、図７において吸込具４を水平面内で略９０°回動させた状態を示している。
【００６３】
図６〜図８に示す第２の変形例では、掃除機本体２において、前述した一対のハンドル２０（図１参照）の代わりに、回動可能な１つのハンドル６７が設けられている。また、以下では、図６における掃除機１の姿勢を基準として、第２の変形例に係る掃除機１の前後左右方向を規定する。図６において、左側が前側であり、右側が後側であり、奥側が左側であり、手前側が右側である。また、左右方向は、幅方向と同義である。
【００６４】
ここで、この変形例に係る掃除機本体２は、中空の略円筒状をなす本体部６８を備えている。本体部６８は、その内部に、前述した電動送風機６と、電動送風機６の前方に設けられた集塵室７とを備えている。また、本体部６８の前端には、集塵室７の前方に設けられた延長管３を連結するための連結部材８が一体的に設けられている。このような掃除機本体２では、重量物である電動送風機６を含む本体部６８が重心となる。
【００６５】
本体部６８は、図６において前下側へ延びる中心軸Ｋを有する円周面６８Ａと、円周面６８Ａを前側から塞ぐ前端面６８Ｂと、円周面６８Ａを後側から塞ぐ後端面６８Ｃとを一体的に備えている。
円周面６８Ａの上側部分において、その前側領域には、上側へ一段突き出るように膨出した膨出部６９が一体的に設けられている。前述した排気口１４は、前後に細長いスリット状で上下に複数並んだ状態で、円周面６８Ａの左右の領域の後側部分に形成されている。前端面６８Ｂには、前述した連結部材８が連結されている。後端面６８Ｃは、略円形であり、中心軸Ｋと直交する方向に沿って平坦である。中心軸Ｋは、後端面６８Ｃの円中心位置と連結部材８とを通っており、中心軸Ｋ上に、前述した延長管３が位置している。
【００６６】
掃除機本体２には、電動送風機６に電力を供給するための電気コード７０の一端が接続されている。電気コード７０の他端に取り付けられた電気プラグ（図示せず）をコンセント（図示せず）につなげて、掃除機本体２に設けられたスイッチ（図示せず）をＯＮにすると、電動送風機６に電力が供給される。
そして、ハンドル６７は、本体部６８の後端面６８Ｃの中央（中心軸Ｋが通る位置）から中心軸Ｋに沿って後方へ突出した後に本体部６８の径方向外側へ向けて折れ曲り、さらに、前方へ湾曲して延びている。図６では、ハンドル６７の前端は、膨出部６９に対して隙間を隔てて後側から対向していて、ハンドル６７の前側部分（本体部６８の径方向における外側部分）は、本体部６８の円周面６８Ａに対して、本体部６８の径方向において隙間を隔てて対向している。
【００６７】
ハンドル６７では、本体部６８の後端面６８Ｃに接続された基端部６７Ａが、中心軸Ｋを円中心とする円柱状をなしていて、本体部６８によって回動可能に支持されている。そのため、ハンドル６７は、中心軸Ｋを中心に回動可能である。そのため、ハンドル６７は、本体部６８の中心（中心軸Ｋ）を中心に、少なくとも１８０°回動して、膨出部６９に後側から対向する第１位置（図６参照）と、第１位置と１８０°隔たる第２位置（図７および図８参照）とに変位することができる。
【００６８】
そして、本体部６８には、ハンドル６７を第１位置および第２位置のそれぞれでロックするためのロック機構７１が備えられている。
図９（ａ）は、ハンドル６７がロックされた状態におけるハンドル６７およびロック機構７１の正断面図であり、図９（ｂ）は、図９（ａ）のＡ−Ａ矢視断面図である。図９（ｃ）は、ハンドル６７のロックが解除された状態におけるハンドル６７およびロック機構７１の正断面図であり、図９（ｄ）は、図９（ｃ）のＢ−Ｂ矢視断面図である。
【００６９】
ロック機構７１に関連して、図９（ａ）および図９（ｂ）に示すように、ハンドル６７の基端部６７Ａの外周面には、周方向に１８０°隔てた２箇所に、凹部７２が形成されている。また、図９（ｂ）に示すように、基端部６７Ａの外周面において、凹部７２の後側（図９（ｂ）では右側）には、環状の溝７３が形成されていて、基端部６７Ａは、溝７３が形成された部分において縮径されている。
【００７０】
また、本体部６８において後端面６８Ｃを区画する後壁７４は、板状である。後壁７４において、中心軸Ｋが通る位置には、丸い第１貫通穴７４Ａが形成されており、本体部６８の径方向において第１貫通穴７４Ａから外側へ少し離れた位置には、第２貫通穴７４Ｂが１つ形成されている。
ハンドル６７の基端部６７Ａにおいて溝７３が形成された部分が、第１貫通穴７４Ａに対して内嵌されている。これにより、ハンドル６７は、基端部６７Ａにおいて溝７３が形成された部分において、本体部６８の後壁７４によって回動可能に支持されている。この状態で、基端部６７Ａにおいて溝７３を前後から区画する部分の間に、後壁７４において第１貫通穴７４Ａを縁取る部分が位置しているので、ハンドル６７が後壁７４から外れることはない。また、この状態では、基端部６７Ａの前端部は、本体部６８の内部に配置されている。
【００７１】
そして、ロック機構７１は、ロック部材７５と、ホルダ７６と、解除ボタン７７とを含んでいる。
ロック部材７５は、ハンドル６７の基端部６７Ａの径方向に沿って細長い円筒状である。ロック部材７５において、基端部６７Ａ側の一端は、丸められた先端７５Ａをなしてロック部材７５の内部を一端側から塞いでおり、一端とは反対側の他端には、内部に連通する開口７５Ｂが形成されている。ロック部材７５の外周面の周上一箇所には、ロック部材７５の径方向外側へ突出する突起７５Ｃが設けられている。突起７５Ｃにおいてロック部材７５の外周面から最も離れた端部には、ロック部材７５の径方向内側かつ先端７５Ａ側へ傾斜する傾斜面７５Ｄが形成されている。
【００７２】
ホルダ７６は、本体部６８の後壁７４の前側面（本体部６８の内部に後側から臨む面）から前側へ突出する基部７６Ａと、基部７６Ａにおいてハンドル６７の基端部６７Ａの前端部に対向する側面に形成された軸部７６Ｂとを一体的に含んでいる。軸部７６Ｂは、ハンドル６７の基端部６７Ａへ向かって延びる細長い円柱状である。
解除ボタン７７は、前後に延びる略円筒状であって、本体部６８の後壁７４の第２貫通穴７４Ｂに対して前側から嵌め込まれている。解除ボタン７７の後端部は、後側へ円弧状に膨出するように丸められていて、第２貫通穴７４Ｂから後壁７４の後外側へ露出されている。解除ボタン７７の前端縁には、解除ボタン７７の径方向外側へ鍔状に延びるフランジ部７７Ａが一体的に設けられている。後壁７４において第２貫通穴７４Ｂを縁取る部分にフランジ部７７Ａが前側から係合することで、解除ボタン７７が後壁７４の第２貫通穴７４Ｂから後側へ外れることが防止されている。
【００７３】
解除ボタン７７には、突起７７Ｂが一体的に設けられている。突起７７Ｂは、前側へ延びる細長い棒状であり、解除ボタン７７の内部に配置されている。突起７７Ｂの前端部は、フランジ部７７Ａよりも前側へ突出している。突起７７Ｂの前端には、突起７７Ｂの延びる方向に対して傾斜して延びる傾斜面７７Ｃが形成されている。
ロック機構７１では、ホルダ７６の軸部７６Ｂが、ロック部材７５の開口７５Ｂに挿入されており、これによって、ロック部材７５が軸部７６Ｂによって、スライド自在に支持されている。ここで、コイルばね７８が軸部７６Ｂに対して外嵌されていて、部分的にロック部材７５の内部に配置されている。コイルばね７８もロック機構７１に含まれる。コイルばね７８は、圧縮ばねであり、ロック部材７５の内側面とホルダ７６の基部７６Ａとの間で圧縮されていて、これにより、ロック部材７５を基部７６Ａから離れる方向へ向けて付勢している。ロック部材７５が基部７６Ａから離れる方向の先には、ハンドル６７の基端部６７Ａの前端部が位置している。このように、ホルダ７６は、ロック部材７５を保持している。
【００７４】
そして、ホルダ７６に保持されたロック部材７５において、突起７５Ｃは、解除ボタン７７の突起７７Ｂに対して前側から対向している。このとき、突起７５Ｃの傾斜面７５Ｄと突起７７Ｂの傾斜面７７Ｃとは互いに平行な状態で面接触している。
そして、図９（ａ）に示すように、ロック部材７５の先端７５Ａが、ハンドル６７の基端部６７Ａの外周面におけるいずれかの凹部７２に嵌っている場合、ハンドル６７は回動できない。図９（ａ）に示すときにハンドル６７が第１位置（図６参照）にあると、ロック機構７１は、ハンドル６７を第１位置においてロックしている。
【００７５】
この状態で、図９（ｄ）に示すように解除ボタン７７を後側から押すと、解除ボタン７７の突起７７Ｂの傾斜面７７Ｃが、ロック部材７５の突起７５Ｃの傾斜面７５Ｄを後側から押圧する。これにより、傾斜面７７Ｃが傾斜面７５Ｄを押圧する力が、ロック部材７５に対して、ホルダ７６の基部７６Ａ側へ作用する。そのため、ロック部材７５全体が、コイルばね７８の付勢力に抗して基部７６Ａ側へスライドし、ロック部材７５の先端７５Ａが、今まで嵌っていた凹部７２から外れる。この状態では、ハンドル６７は自由に回動できる。
【００７６】
そのため、今まで第１位置にあったハンドル６７を１８０°回動させると、ハンドル６７は第２位置に配置される（図７参照）。このとき、ロック部材７５の先端７５Ａの先には、今まで嵌っていた凹部７２とは別の凹部７２が位置している。この状態で、ハンドル６７が第２位置に配置されてから解除ボタン７７を離す（押圧を解除する）と、図９（ｂ）に示すように、解除ボタン７７の突起７７Ｂの傾斜面７７Ｃが、ロック部材７５の突起７５Ｃの傾斜面７５Ｄを後側から押圧しなくなる。これにより、ロック部材７５全体が、コイルばね７８の付勢力によって基部７６Ａから離れてハンドル６７の基端部６７Ａ側へスライドし、図９（ａ）および図９（ｂ）に示すように、ロック部材７５の先端７５Ａが、今まで嵌っていた凹部７２とは別の凹部７２に嵌る。そのため、ロック機構７１は、ハンドル６７を第２位置においてロックし、ハンドル６７は回動できなくなる。
【００７７】
このように、ロック機構７１は、ハンドル６７を第１位置および第２位置のそれぞれにおいてロックしたり、そのロックを解除したりすることができる。
図６に示すように、ハンドル６７が第１位置にあるときには、吸込具４は基本姿勢にある。この状態で、第１位置のハンドル６７を把持して掃除機本体２を宙に浮かせた状態で動かすことによって、掃除機１全体を移動させて、床面Ｖの広い領域を掃除できる。
【００７８】
そして、ハンドル６７を把持したままロック機構７１の解除ボタン７７を押すと、ハンドル６７のロックが解除される。この状態で、ハンドル６７を回動させずに、掃除機本体２においてハンドル６７以外の部分と延長管３とを、本体部６８の中心軸Ｋを中心に略１８０°回動させつつ、少し浮かせる。すると、図７に示すように、ハンドル６７は、掃除機本体２に対して相対的に回動したこととなって第２位置に配置されるとともに、吸込具４が倒立姿勢となる。これにより、床面Ｖの前述した狭い領域を掃除できる。
【００７９】
なお、図６において、ハンドル６７のロックを解除した後にハンドル６７だけを回動させて第２位置に配置する。すると、第２位置のハンドル６７は、掃除機本体２の下側面に配置されるので、このハンドル６７が掃除機本体２の上側面に配置されるように掃除機本体２および延長管３を、中心軸Ｋを中心に略１８０°回動させつつ、少し浮かせる。これによっても、図７に示すように吸込具４が倒立姿勢となる。
【００８０】
そして、第２位置のハンドル６７を第１位置まで回動させると、図６に示すように、吸込具４を基本姿勢に戻すことができる。
第２の変形例によれば、床面Ｖにおいて掃除する領域を、広い領域から狭い領域へと移す場合（または、その逆の場合）、ハンドル６７を第１位置および第２位置のいずれかにすることで、掃除しやすいように掃除機１の姿勢（厳密には、吸込具４の姿勢）を変えることができる（図６〜図８参照）。
【００８１】
この場合、第１位置および第２位置のいずれに位置するハンドル６７を把持しても、電動送風機６の自重によって、把持したハンドル６７の下方に本体部６８がくる。これにより、ハンドル６７を把持した手の下方に掃除機本体２の重心が位置するので、掃除機本体２を安定した状態で移動させることができる。
よって、使い勝手の向上を図ることができる。また、ハンドル６７は、第１位置であっても第２位置であっても、把持された状態では、掃除機本体２の上端側に位置して床面Ｖから浮いていることから、ハンドル６７が床面Ｖにぶつかって床面Ｖを傷つけることを防止できる。
＜第３の変形例＞
図１０（ａ）は、掃除機本体２の後端面５Ｃに取り付けられる排気調整機構８０の斜視図であり、図１０（ｂ）は、排気調整機構８０の断面図である。図１１（ａ）は、排気調整機構８０のスライド部材８１の斜視図であり、図１１（ｂ）は、スライド部材８１の断面図である。図１２（ａ）は、排気調整機構８０の保持部材８２の斜視図であり、図１２（ｂ）は、保持部材８２の断面図である。
【００８２】
第３の変形例では、前述した排気口１４が掃除機本体２の後端面５Ｃに形成されている場合（図１参照）、後端面５Ｃには、図１０に示す排気調整機構８０が取り付けられている。排気調整機構８０は、後端面５Ｃの排気口１４からの排気の向きを調整するものである。
排気調整機構８０は、図１１に示すスライド部材８１と、図１２に示す保持部材８２とを含んでいる。
【００８３】
図１１を参照して、スライド部材８１は、後端面５Ｃにおけるハンドル２０Ａおよびハンドル２０Ｂ（図１参照）の並び方向に長手の板状である。なお、図１１のスライド部材８１は、略長方形状であるが、実際には、掃除機本体２の排気口１４を覆う形状であれば、たとえば、楕円形状や円形状であっても構わない。
スライド部材８１には、スライド部材８１を厚さ方向に貫通するスリット８３が、スライド部材８１の長手方向に並んだ状態で複数（ここでは、５つ）形成されている。スリット８３は、スライド部材８１の長手方向に直交する方向に長手である。各スリット８３は、その長手方向途中を延びるリブ８４によって、長手方向において二分されている。スライド部材８１において、隣り合うスリット８３の間の部分は、所定方向（図１１では右側）へ三角形状に突出する三角突起８５をなしている。図１１では、スライド部材８１において、４つの三角突起８５が形成されている。
【００８４】
図１２を参照して、保持部材８２は、スライド部材８１より大きく、前記並び方向に長手の板状である。保持部材８２において、その長手方向に直交する方向における両端部は、互いに接近する方向に折り曲げられていて、これにより、保持部材８２の当該両端部には、互いに離間する方向へ窪みつつ平行に延びるガイド溝８６が形成されている。
保持部材８２には、保持部材８２を厚さ方向に貫通する出口８７が、保持部材８２の長手方向に並んだ状態で、スライド部材８１の三角突起８５（図１１参照）の数（ここでは、４つ）だけ形成されている。各出口８７は、保持部材８２の長手方向に直交する方向において長手である。
【００８５】
保持部材８２でガイド溝８６が形成された側とは反対側の側面（図１２（ａ）では手前側の側面）において、その長手方向における各出口８７の両端縁部には、互いに接近する方向へ傾斜して延びる板状のガイドリブ８８が形成されている。つまり、出口８７毎に一対のガイドリブ８８が設けられている。各出口８７の一対のガイドリブ８８の先端の間には、所定の隙間が確保されている。
【００８６】
図１０を参照して、完成状態にある排気調整機構８０では、スライド部材８１は、保持部材８２においてガイド溝８６が形成された側から、保持部材８２に取り付けられている。このとき、スライド部材８１および保持部材８２のそれぞれの長手方向は一致している。また、このとき、スライド部材８１の各三角突起８５は、保持部材８２において対応する位置にある出口８７に対して、前記長手方向に遊びを持って嵌っており、各三角突起８５の先端は、各出口８７の一対のガイドリブ８８の先端の隙間に対して、前記長手方向に遊びを持って嵌っている。
【００８７】
スライド部材８１が保持部材８２に取り付けられた状態において、スライド部材８１では、その長手方向に直交する方向における一端部８１Ａ（図１１（ａ）参照）が、保持部材８２において同じ側のガイド溝８６に嵌っていて、他端部８１Ｂ（図１１（ａ）参照）が、保持部材８２において同じ側のガイド溝８６に嵌っている。これにより、スライド部材８１は、保持部材８２によって、その長手方向に沿ってスライド自在に支持されている。スライド部材８１は、各出口８７における三角突起８５の遊びの分だけスライドできる。
【００８８】
そして、このような排気調整機構８０は、掃除機本体２の本体部５の後端面５Ｃ（図１参照）に対して、排気口１４を塞ぐように後側から取り付けられている。この状態において、排気調整機構８０では、スライド部材８１の各スリット８３が、排気口１４に対して後側から連通している。
図１３は、ハンドル２０Ａを把持した場合における排気調整機構８０の断面図である。図１４は、ハンドル２０Ｂを把持した場合における排気調整機構８０の断面図である。
【００８９】
ハンドル２０Ａを把持している場合には（図１および図２参照）、図１３に示すように、排気調整機構８０が縦長の姿勢をとっていて、スライド部材８１は、その自重によって下限の位置にある。このとき、スライド部材８１の各三角突起８５は、対応する出口８７の下端に位置していて、この出口８７の下端側のガイドリブ８８に対して面接触している一方で、この出口８７の上端側のガイドリブ８８から離間している。これにより、各三角突起８５と、対応する出口８７の上端側のガイドリブ８８との間には、所定の流路Ｚが形成されている。各流路Ｚは、スライド部材８１で三角突起８５に上側から隣接するスリット８３と、各出口８７の一対のガイドリブ８８の先端の隙間とをつなぎつつ、斜め下側へ延びている。そのため、排気口１４からの排気は、太線矢印で示すように、各流路Ｚを斜め下側へ流れて、各出口８７の一対のガイドリブ８８の先端の隙間から機外へ向けて斜め下方へ排出される。
【００９０】
そのため、斜め下方へ排出される排気が、掃除機本体２の上端側のハンドル２０Ａを把持している手にかからないので、ユーザは、快適にハンドル２０Ａを把持できる（図１および図２参照）。
一方、ハンドル２０Ａからハンドル２０Ｂに持ち替えると、前述したように、ハンドル２０Ａがハンドル２０Ｂの下方に位置する（図３参照）。つまり、掃除機本体２の上下の向きが逆になるので、これに応じて、スライド部材８１は、その自重によって、図１４に示すように、今までとは反対側の位置までスライドし、結局、ハンドル２０Ａを持っているときと同様に、下限の位置に配置される。これにより、ハンドル２０Ａからハンドル２０Ｂに持ち替えても、斜め下側へ延びる流路Ｚが形成される。そのため、排気口１４からの排気は、機外へ向けて斜め下方へ排出されることから（太線矢印参照）、掃除機本体２の上端側のハンドル２０Ｂを把持している手にかからないので、ユーザは、快適にハンドル２０Ｂを把持できる。
＜第４の変形例＞
図１５は、第４の変形例に係る掃除機本体２の右側断面図である。
【００９１】
図１５に示すように、第４の変形例に係る掃除機本体２では、どちらかのハンドル２０（ここでは、下側のハンドル２０Ｂ）において、本体部５の円周面５Ａから最も離れた部分には、ハンドル２０Ｂから前後にはみ出るように板状のリブ９０が一体的に設けられている。
この場合、掃除機本体２に接続されて電動送風機６に電力を供給する電気コード９１をハンドル２０Ｂに巻き付けて収納することができる。ハンドル２０Ｂに電気コード９１が巻き付けられた状態では、リブ９０が電気コード９１に係合しているので、電気コード９１がハンドル２０から外れ落ちることが防止されている。
【００９２】
このように、ハンドル２０Ｂを、把持するためのハンドルだけでなく、電気コード９１を巻きつけるものとしても利用できるので便利である。
この発明は、以上に説明した実施形態に限定されるものではなく、請求項記載の範囲内において種々の変更が可能である。
【符号の説明】
【００９３】
１      ハンディタイプ電気掃除機
２      掃除機本体
３      延長管
４      吸込具
５      本体部
５Ａ    円周面
６      電動送風機
７      集塵室
８      連結部材
２０    ハンドル
５０    ハウジング
５０Ａ  底面
５０Ｂ  前面
５１    ベンド
５２    主吸込口
５３    副吸込口
５４    シャッター
５５    ローラー
６７    ハンドル
６８    本体部
６８Ａ  円周面
６８Ｃ  後端面
Ｖ      床面
【図１】
2012050565.tif 000003
【図２】
2012050565.tif 000004
【図３】
2012050565.tif 000005
【図４】
2012050565.tif 000006
【図５】
2012050565.tif 000007
【図６】
2012050565.tif 000008
【図７】
2012050565.tif 000009
【図８】
2012050565.tif 000010
【図９】
2012050565.tif 000011
【図１０】
2012050565.tif 000012
【図１１】
2012050565.tif 000013
【図１２】
2012050565.tif 000014
【図１３】
2012050565.tif 000015
【図１４】
2012050565.tif 000016
【図１５】
2012050565.tif 000017